【事件の表示】
　平成１０年特許願第１８７４４８号「ディジタル信号処理を用いてカラー映像信号の属性を調節するアナログ／ディジタルカラー映像装置及びその方法」拒絶査定に対する審判事件［平成１１年　６月１８日出願公開、特開平１１−１６４３１９］について、次のとおり審決する。
【結　論】
　本件審判の請求は、成り立たない。
【理　由】
第１　本願発明
　本願は、平成１０年７月２日の出願（パリ条約による優先権主張１９９７年７月７日、大韓民国）であって、その発明は、補正された明細書及び図面の記載からみて、その特許請求の範囲（請求項の数４）に記載された「アナログ／ディジタルカラー映像装置」及び「カラー映像信号の属性調節方法」にあるところ、その請求項１に記載された発明（以下「本願発明」という。）は、次に掲げるとおりのものである。
　
「アナログ映像信号及びディジタル映像信号の属性調節のためのアナログ／ディジタルカラー映像装置において、
　ユーザーから視聴モード選択命令及び属性調節命令が入力されるコントロールパネルと、
　前記アナログ映像信号を受信及びＡ／Ｄ変換するＡ／Ｄ変換器と、
　前記視聴モード選択命令に応じて前記ディジタル映像信号及び前記Ａ／Ｄ変換器によりディジタル化されたアナログ映像信号を受信し、前記視聴モード選択命令に応じて前記ディジタル映像信号及び前記ディジタル化されたアナログ映像信号のフレームフォーマットを所望のサイズのフレームフォーマットに変換するフォーマット変換器と、
　前記属性調節命令に応じて前記フォーマット変換器によりフォーマット変換された映像信号の属性を調節するディジタル属性調節器と、
　前記ディジタル属性調節器により調節された属性を有する映像信号を視覚的に表示するディスプレイとを備え、
　前記ディジタル属性調節器は前記ディスプレイを通して表示される映像信号の鮮鋭度を調節するために前記フォーマット変換器から受信される映像信号に含まれた輝度信号の値を調節する鮮鋭度調整器と、前記ディスプレイを通して表示される映像信号の色合いを調節するために前記フォーマット変換器から受信される映像信号に含まれた第１色差信号及び第２色差信号の値を調節する色合い調節器と、及び既に設定されたマトリックス式を用いて属性の調節された輝度信号、第１色差信号及び第２色差信号からＲ、Ｇ、Ｂ色信号を発生するマトリックスと、前記ディスプレイを通して表示される映像信号のコントラスト及び明るさを調節するための前記Ｒ、Ｇ、Ｂ色信号の値を調節するコントラスト／明るさ調節装置とを備え、
　前記フォーマット変換器は前記視聴モード選択命令がＰＩＰ映像の出力に応ずる場合、前記ディジタル化されたアナログ映像信号及び前記ディジタル映像信号の両方を受信及びフォーマット変換し、前記視聴モード選択命令が前記アナログ映像信号に含まれたカラー映像及び前記ディジタル映像信号に含まれたカラー映像のうちいずれか一つの出力に応ずる場合は、前記アナログ映像信号及び前記ディジタル映像信号のうち一つの映像信号のみを選択的に受信及びフォーマット変換するアナログ／ディジタルカラー映像装置」
　
第２　刊行物発明
　１　刊行物１の発明
　　当審の拒絶理由に引用された刊行物である、本願の出願の日前の平成８年４月１２日に頒布された特開平８−９８１０５号公報（以下「刊行物１」という。）には、「テレビジョン受信機」に関して、次に掲げる(1)ないし(8)の事項からなる発明（以下「刊行物１の発明」という。）が記載されている。
　
　 (1)　複数の放送方式に対応させて、高画質の画像を得ることができるテレビジョン受信機（10頁18欄27行ないし28行）
　 (2)　本実施例のテレビジョン受信機311 は、衛星304 からのディジタル放送及びアンテナ305 からのアナログ放送を同時に受信可能である。即ち、衛星304 からのディジタル放送波はアンテナ312 によって受信される。（中略）一方、アンテナ316 に誘起したアナログ放送波はチューナ317 に供給される。チューナ317 は入力されたアナログ信号を選局してベースバンドの映像信号をＮＴＳＣデコーダ318 に出力する。（中略）ＭＰＥＧデコーダ315 及びＮＴＳＣデコーダ318 は、スイッチ319 ，320 によって共通のメモリ部321 に接続されるようになっている。スイッチ319 ，320 は、コントローラ322 に制御されて連動して動作し、ディジタル放送信号をデコードする場合にはＭＰＥＧデコーダ315 とメモリ321 とを接続し、アナログ放送信号をデコードする場合にはＮＴＳＣデコーダ318 とメモリ部321 とを接続するようになっている。（中略）ＭＰＥＧデコーダ315 はメモリ部321 を用いて入力されたＭＰＥＧデータ列を復号化してスイッチ324 の端子ａに出力するようになっている。また、ＮＴＳＣデコーダ318 はメモリ部321 を用いて入力されたアナログ信号をデコードしてスイッチ324 の端子ｂに出力するようになっている。スイッチ324 はコントローラ322 に制御されて、ＭＰＥＧデコーダ315 の出力又はＮＴＳＣデコーダ318 の出力を選択してモニタ325 に出力する。モニタ325 は表示画面326 上にスイッチ324 からの映像信号に基づく表示を表示するようになっている。（11頁19欄27行ないし同頁20欄10行）
　 (3)　コントローラ322 は端子323 を介してユーザーの図示しないリモコン装置のキー操作に基づくリモコン信号が与えられ、このリモコン信号に基づいて、スイッチ319，320 、メモリ部321 及びスイッチ324 を制御するようになっている。（11頁20欄11行ないし15行）
　 (4)　ユーザーがディジタル放送の受信を希望するものとする。この場合には、ユーザーのリモコン操作に基づくリモコン信号が端子323 を介してコントローラ322に供給されると、コントローラ322 はスイッチ319 ，320 を制御して端子ａを選択させる。（12頁22欄25行ないし29行）
　 (5)　ユーザーが現行ＮＴＳＣ放送を受信するためのリモコン操作を行うものとする。そうすると、コントローラ322 はスイッチ319 ，320 を制御して端子ｂを選択させる（13頁23欄35行ないし38行）
　 (6)　図８は本発明の他の実施例を示すブロック図である。本実施例はディジタル放送に基づく画像とアナログ放送に基づく画像とを合成して同時に表示することを可能にしたものである。（16頁30欄15行ないし18行）
　 (7)　スイッチ393 ，394 はコントローラ322 によって切換え制御される。コントローラ322 は端子323 からのリモコン信号に基づいて、ディジタル放送に基づく親画面とＮＴＳＣ放送に基づく子画面とを同時に表示させることが指示された場合には、スイッチ393 ，394 に端子ａを選択させ、ＮＴＳＣ放送に基づく親画面とディジタル放送に基づく子画面とを同時に表示させることが指示された場合には、スイッチ393 ，394 に端子ｂを選択させるようになっている。（16頁30欄44行ないし17頁31欄2行）
　 (8)　セレクタ395は、水平及び垂直コントローラ399によって親画面信号のタイミングで制御され、親画面期間に親画面信号を選択し、子画面期間に子画面信号を選択して出力端子400 に出力するようになっている。出力端子400 からの映像信号は図示しないモニタに供給されるようになっている。（17頁31欄27行ないし32行）
　
　２　刊行物２に記載の事項
　　同じく、当審の拒絶理由に引用された刊行物である、本願の出願の日前の平成８年６月２１日に頒布された特開平８−１６３５１２号公報（以下「刊行物２」という。）には、「方式変換装置」に関して、次に掲げる(1)ないし(5)の事項が記載されている。
　
　 (1)　ハイビジョン番組をプラズマディスプレイパネル（以下、単にＰＤＰと記述する）や液晶ディスプレイパネルのようなディジタル表示器で表示するために、ＭＵＳＥ信号（例えば、ＭＵＳＥ簡易ハイビジョン信号）をディジタル表示器用の信号に方式変換する方式変換装置（2頁1欄39行ないし44行）
　 (2)　６０は制御信号発生回路で、この制御信号発生回路６０は、入力端子６２に入力したＭＵＳＥフレームパルスに基づいて、前記輝度信号処理部１０及び前記色差信号処理部３０内の各回路に対応した制御信号を出力するとともに、出力端子６４にＰＤＰ用の制御信号を出力するように構成されている。前記出力端子５２、５４、５６、６２には、ディジタル表示器としてのＰＤＰ（図示省略）が結合している。（4頁5欄3行ないし10行）
　 (3)　輝度信号処理部１０は、入力端子１２に入力したＭＵＳＥ輝度信号であるＹ信号（インタレース信号）を、ノンインタレース信号に変換した後にＰＤＰ用の走査線数及びドット数に変換し、ついで輝度信号レベルを調整して輪郭成分を強調し、ＰＤＰ用の輝度信号としてＲＧＢ逆マトリックス回路５０に出力する。（中略）エッジ強調回路２２は、最終段にあるので変換回路１４、１６、１８による悪影響（例えば波形の鈍り）を受けずに、輝度信号の輪郭成分を強調することができる。（4頁5欄12行ないし24行）
　 (4)　色差信号処理部３０は、入力端子３２、３４に入力したＭＵＳＥ色差信号であるＲ−Ｙ信号、Ｂ−Ｙ信号を、交互にドットインタリーブして合成した後にＰＤＰ用の走査線数及びドット数に変換し、ついで色差信号レベルを調整した後、ドットインタリーブのかかった色差信号を個々の色差信号に分離し、ＰＤＰ用の色差信号としてＲＧＢ逆マトリックス回路５０に出力する。（中略）レベル調整回路４２は色差信号レベル調整で色合いを調整することができる。（4頁5欄25行ないし36行）
　 (5)　ＭＵＳＥ信号を直接ディジタル表示器用の信号に方式変換することができるので、ＭＵＳＥ信号を一旦ＮＴＳＣ信号に方式変換してからディジタル表示器用の信号に変換していた従来例と比べて、回路構成を簡単にすることができる。また、従来例のようにアナログ回路を含まないので、ノイズの影響を受けにくい。従って、ハイビジョン番組をディジタル表示器で高画質及び低ノイズで表示するための方式変換装置の回路構成を簡単にすることができる。（4頁6欄31行ないし39行）
　
　３　刊行物３に記載の事項
　　同じく、当審の拒絶理由に引用された刊行物である、本願の出願の日前の平成４年１月１４日に頒布された特開平４−１０７８４号公報（以下「刊行物３」という。）には、「コントラスト調整装置」に関して、次に掲げる(1)(2)の事項が記載されている。
　
　 (1)　第６図に示す様に輝度信号Ｙ、色差信号Ｉ，Ｑをマトリクス処理し、ＲＧＢ信号に変換した後Ｒ（赤）、Ｇ（緑）、Ｂ（青）の信号にそれぞれに対してコントラスト調整部１８を設けコントラスト調整を施す様に構成しても良い。（3頁右下欄14行ないし19行）
　 (2)　表示装置が液晶デイスプレイ（ＬＣ）を有している場合にはＬＣ駆動回路のダイナミツクレンジが狭いため本発明は特に有効で、白つぶれ、黒つぶれ現象を抑圧出来見易いコントラスト映像を映出する事が出来る。（4頁左上欄13行ないし17行）
　
第３　刊行物発明と本願発明との対比
　１　刊行物１の発明における事項と本願発明における事項との対比
　　刊行物１の発明は「テレビジョン受信機」に係るもので、複数の放送方式に対応させて、高画質の画像を得ることができ、ディジタル放送及びアナログ放送を同時に受信可能であり、リモコン装置のキー操作に基づくリモコン信号がコントローラ322に与えられ、ディジタル放送又は現行ＮＴＳＣ放送を受信し、さらに、コントローラ322は端子323からのリモコン信号に基づいて、ディジタル放送に基づく親画面とＮＴＳＣ放送に基づく子画面とを同時に表示させるから、本願発明に係る「アナログ／ディジタルカラー映像装置」に一応対応する。
　　したがって、刊行物１の発明における事項と本願発明における事項とを対比すると、次に掲げる(1)(4)の事項が一応対応し、(2)(3)の事項を刊行物１の発明は備えているといえる。
　 (1)　刊行物１の発明における「コントローラ322」は、リモコン装置のキー操作に基づくリモコン信号が与えられるから、本願発明における「コントロールパネル」に一応対応する。
　 (2)　刊行物１の発明における「ＮＴＳＣデコーダ318」は、入力されたアナログ信号をデコードしてスイッチ324の端子ｂに出力すると共に、スイッチ319，320によって共通のメモリ部321に接続され、このメモリ部321に記憶されるのはディジタル信号であるから、入力されたアナログ信号はデコードされてディジタル信号に変換されているといえる。したがって、この「ＮＴＳＣデコーダ318」は、本願発明における「Ａ／Ｄ変換器」を備えているといえる。
　 (3)　刊行物１の発明の「テレビジョン受信機」は、リモコン信号に基づいて、ディジタル放送に基づく親画面とＮＴＳＣ放送に基づく子画面とを同時にモニタ325に表示させる、すなわち、ディジタル放送に基づく画面（フレーム）が親画面（親フレーム）として、そのフレームフォーマットを変換し、ＮＴＳＣ放送に基づく画面（フレーム）が子画面（子フレーム）として、そのフレームフォーマットを変換している。
　　　また、リモコン装置のキー操作に基づくリモコン信号がコントローラ322に与えられ、ディジタル放送又は現行ＮＴＳＣ放送を受信してモニタ325に表示させている。
　　　したがって、刊行物１の発明の「テレビジョン受信機」は、映像信号をモニタ325に表示するに当たって、リモコン信号に基づいて、ディジタル放送及び現行ＮＴＳＣ放送を受信し、ディジタル放送及び現行ＮＴＳＣ放送のフレームフォーマットを所望のサイズのフレームフォーマットに変換し、リモコン信号が親子映像（ＰＩＰ映像）の出力に応じる場合、ディジタル放送及び現行ＮＴＳＣ放送に基づく信号の両方を受信及びフォーマット変換し、リモコン信号がディジタル放送及び現行ＮＴＳＣ放送に基づく信号のうちいずれか一つの出力に応じる場合は、ディジタル放送及び現行ＮＴＳＣ放送に基づく信号のうち一つの信号のみを選択的に受信及びフォーマット変換するから、本願発明における「フォーマット変換器」を備えているといえる。
　 (4)　刊行物１の発明における「モニタ325」は、ＭＰＥＧデコーダ315の出力又はＮＴＳＣデコーダ318の出力を選択して出力するから、本願発明における「ディスプレイ」に一応対応する。
　
　２　刊行物１の発明と本願発明との一致点と相違点
　　上記１の対比から、刊行物１の発明と本願発明とは、次に掲げる(1)の点で一致し、(2)の点で相違する。
　 (1)　一致点
「アナログ映像信号及びディジタル映像信号のためのアナログ／ディジタルカラー映像装置において、
　ユーザーから視聴モード選択命令が入力されるコントロールパネルと、
　前記アナログ映像信号を受信及びＡ／Ｄ変換するＡ／Ｄ変換器と、
　前記視聴モード選択命令に応じて前記ディジタル映像信号及び前記Ａ／Ｄ変換器によりディジタル化されたアナログ映像信号を受信し、前記視聴モード選択命令に応じて前記ディジタル映像信号及び前記ディジタル化されたアナログ映像信号のフレームフォーマットを所望のサイズのフレームフォーマットに変換するフォーマット変換器と、
　前記映像信号を視覚的に表示するディスプレイとを備え、
　前記フォーマット変換器は前記視聴モード選択命令がＰＩＰ映像の出力に応ずる場合、前記ディジタル化されたアナログ映像信号及び前記ディジタル映像信号の両方を受信及びフォーマット変換し、前記視聴モード選択命令が前記アナログ映像信号に含まれたカラー映像及び前記ディジタル映像信号に含まれたカラー映像のうちいずれか一つの出力に応ずる場合は、前記アナログ映像信号及び前記ディジタル映像信号のうち一つの映像信号のみを選択的に受信及びフォーマット変換するアナログ／ディジタルカラー映像装置」
　 (2)　相違点
　　　上記「アナログ／ディジタルカラー映像装置」が、本願発明においては、属性調節するために、ユーザーから属性調節命令が入力されて属性を調節するディジタル属性調節器を備え、このディジタル属性調節器は、鮮鋭度調整器、色合い調節器、マトリックス及びコントラスト／明るさ調節装置とから構成されるから、上記「コントロールパネル」には、属性調節命令が入力され、上記「ディスプレイ」には、調節された属性を有する映像信号が視覚的に表示されるのに対して、刊行物１の発明は、ディジタル属性調節器を備えていない点
　
　３　相違点についての検討
　　刊行物２には、プラズマディスプレイパネルや液晶ディスプレイパネルのようなディジタル表示器に映像信号を表示するに当たって、エッジ強調回路２２で輝度信号であるＹ信号の輪郭成分を強調し、レベル調整回路４２で色差信号であるＲ−Ｙ信号、Ｂ−Ｙ信号の色合いを調整して、調整された輝度信号と色差信号とをＲＧＢ逆マトリックス回路５０に出力することが記載され、また、刊行物３には、液晶デイスプレイに映像信号を表示するに当たって、コントラスト調整部１８でマトリクス処理されたＲＧＢ信号のそれぞれに対してコントラスト調整をすることが記載されている。
　　したがって、刊行物１の発明において、表示器であるモニタに映像信号を表示するに当たって、モニタの特性を考慮して、輝度信号と色差信号とをモニタに応じて調整することは、当業者であれば、適宜なし得るところ、この調整について、刊行物２，３には、エッジ強調（鮮鋭度調整）、レベル調整（色合い調節）、マトリックス及びコントラスト調整（コントラスト／明るさ調節）することが記載されているから、刊行物１の発明に刊行物２，３に記載されたことを適用することは、当業者であれば、適宜なし得ることである。
　　　よって、上記「アナログ／ディジタルカラー映像装置」に「鮮鋭度調整器、色合い調節器、マトリックス及びコントラスト／明るさ調節装置とから構成されるディジタル属性調節器」を備えさせることは、当業者であれば、適宜なし得ることであり、この「ディジタル属性調節器」を備えさせることによって、上記「コントロールパネル」には、属性調節命令が入力され、上記「ディスプレイ」には、調節された属性を有する映像信号が視覚的に表示されるのは自明である。
　
第４　むすび
　以上、本願発明は、刊行物１の発明に基いて、当業者が容易に発明をすることができたものであるから、特許法２９条２項の規定により特許を受けることができない。
　したがって、他の請求項２ないし４について検討するまでもなく、本願は拒絶すべきものである。
　よって、結論のとおり審決する。